(57)【要約】【課題】  同一の投入口から投入されるＩＣコインと硬貨とを判別できる省スペースのコイン判別装置と、紙幣、硬貨、及びＩＣコインの使用が可能な台間貸出機を提供すること。【解決手段】  コイン投入口２３とコイン搬送路３５と複数のセンサ５０と複数のシャッター４０とを有するコイン判別装置１３において、前記複数のシャッターは、該底面の延長線上に平行に設けられた第１シャッター４０１と、前記第１シャッターに近接して設けられた第２シャッター４０２とからなり、前記第１シャッターと第２シャッターとが、なす角が所定の鋭角となるように略くの字状に配置され、更にコインの大きさを判別する位置にセンサ５０が設けられており、コインが前記第１、第２シャッターの位置で静止した際に、そのコインの大きさに応じて第１、第２シャッターのいずれかを開閉し、所定の搬送路に搬送する判別部Ｉを有するコイン判別装置及びそれを用いた台間貸出機。【選択図】      図３
2005293097.tif 000002
【特許請求の範囲】
【請求項１】
硬貨、及び前記硬貨とは大きさの異なるＩＣコインを投入するコイン投入口と、
前記コイン投入口から所定角度下方に傾斜し、更に複数の経路に分岐したコイン自体の自重により搬送を行うコイン搬送路と、
前記コイン投入口から投入されるコインを判別する複数のセンサと、
前記コイン投入口から投入されるコインの経路の変更を行う複数のゲートと、
を有するコイン判別装置において、
前記複数のゲートは、前記搬送路の底面の延長線上に、該底面と平行に設けられた第１ゲートと、前記搬送路内に設けられ、前記第１ゲートに近接して設けられた第２ゲートとからなり、前記第１ゲートと第２ゲートとが、そのなす角が所定の鋭角となるように略くの字状に配置され、更に前記複数のセンサは搬送されたコインの大きさを判別する位置に設けられており、前記コイン搬送路内を搬送されるコインが前記第１、第２ゲートの位置で静止した際に、前記センサの出力に応じて第１、第２ゲートのいずれかを開閉し、所定の搬送路に搬送する判別部を有することを特徴とするコイン判別装置。
【請求項２】
前記判別部は、判別を行ったコインが硬貨であると判断されると、第１ゲートを開状態とし、判別を行ったコインがＩＣコインであると判断されると、第２ゲートを開状態とすることを特徴とする請求項１に記載のコイン判別装置。
【請求項３】
前記判別部で使用されるセンサは、前記判別部に搬送されたコインの大きさを認識するための第１センサと、前記判別部にコインが搬送されたか否かを認識する第２センサとからなることを特徴とする請求項１に記載のコイン判別装置。
【請求項４】
前記第１センサは、前記コイン判別装置に使用が予定されるコインの大きさに応じて、適宜設置位置を変更することを特徴とする請求項３に記載のコイン判別装置。
【請求項５】
前記第２ゲートの先には、更に搬送路が設けられており、前記搬送路の先には前記搬送路の底面の延長線上に、該底面と平行に設けられた第３ゲートと、前記搬送路内に設けられ、前記第３ゲートに近接して設けられた第４ゲートとが設けられており、前記第３ゲートと第４ゲートとが略くの字状に配置され、前記第３、第４ゲートにより前記第２ゲートを通過したＩＣコインを静止させ、ＩＣコインの静止した位置に設けられたＩＣコインリーダーライターにより、ＩＣコイン内のデータの読み書きを行うＩＣコイン認識部を有することを特徴とする請求項１に記載のコイン判別装置。
【請求項６】
前記第３、第４ゲートの先には、それぞれ異なる搬送路が直結されており、前記ＩＣコイン認識部で静止しているＩＣコインのデータに応じて、該ＩＣコインの搬送経路を変更可能としたことを特徴とする請求項５に記載のコイン判別装置。
【請求項７】
前記コイン投入口には、コイン投入の許可・不許可を制御する第５ゲートが付設されていることを特徴とする請求項１に記載のコイン判別装置。
【請求項８】
前記ゲートは、小型のシャッターであることを特徴とする請求項１〜７の何れかに記載のコイン判別装置。
【請求項９】
前記センサは、小型の赤外線センサであることを特徴とする請求項１〜４の何れかに記載のコイン判別装置。
【請求項１０】
紙幣を投入する紙幣投入口を有する紙幣識別機と、
投入された硬貨、或いはＩＣコイン等により、表示あるいは演算処理を行う制御ボードと、
請求項１〜９のいずれかに記載のコイン判別装置と、
投入された硬貨の識別を行うコインシューターと、
投入された硬貨、或いはＩＣコインを一時的に保管する金庫と、
前記コイン判別装置と、前記コインシューターと、前記金庫と、の間でコインの搬送を行う複数本のコイン搬送路と、
前記紙幣識別機、前記制御ボード等に電源を供給する電源部と
上述の各部材を一体に形成するための細長な枠体と、
からなることを特徴とする台間貸出機。
【請求項１１】
前記コイン搬送路は少なくとも
前記コイン判別装置と前記コインシューターとを繋ぐ第１搬送路と、
前記コイン判別装置及び前記コインシューターと本体正面に設けられたコイン返却口とを繋ぐ第２搬送路と、
前記コイン判別装置と、前記金庫とを繋ぐ第３搬送路と、
からなることを特徴とする請求項１０に記載の台間貸出機。
【請求項１２】
前記コインシューターは、前記コイン判別装置の第１ゲートの下部に位置し、前記第１搬送路により前記コイン判別装置と連結していることを特徴とする請求項１０に記載の台間貸出機。
【発明の詳細な説明】
【技術分野】
【０００１】
本発明は、コインを判別するコイン判別装置、及びパチンコ台等の遊戯機に近接して設置される台間貸出機に関し、特に、コイン投入口から投入されるコインが硬貨であるか、それともＩＣコインであるかを判別することができる省スペースのコイン判別装置、及びこれを備えた台間貸出機に関する。
【背景技術】
【０００２】
近年、内部に様々なデータを保有でき、更に非接触でデータのやり取りを行うことができるＲＦＩＤ（Radio Frequency-Identification：電波方式認識）タグ（ＩＣタグともいう）が広く普及してきている。このＲＦＩＤタグは、ＩＣ（ＣＭＯＳ等）チップと超小型アンテナからなり、内部データの書き換えを容易に行えることから、一回で使い捨てであったプリペイドカードに代わり、例えば電車の乗り降り（Ｓｕｉｃａ（登録商標名）等）に利用されたり、遊戯店舗に設置されたパチンコ台や、スロットマシーン等への貸玉、貸メダルを行う際に使用されたりしている。また、このようなＲＦＩＤタグには様々な形状のものがあり、カード型、或いはコイン型など、その使用形態によって種々使い分けられている。
【０００３】
前記遊戯店舗では、複数の島に分割され、設置された複数のパチンコ台、あるいはスロットマシーン等の遊戯機が並設されており、これらの遊戯機で使用されるパチンコ玉や、メダル等の遊戯媒体は、遊戯機間に介設された台間貸出機（ＣＲユニットともいう。）から貸し出されている。遊戯客は従来、貸出機とは別に設置されたプリペイドカード購入機によりプリペイドカードを購入し、台間貸出機に購入したプリペイドカードを挿入することにより、貸玉、あるいは貸メダルを行っていたが、ＲＦＩＤタグを用いることにより、いちいちプリペイドカードを購入することなく台間貸出機に直接現金を投入することにより貸玉、貸メダルを行うことができるようになっている。
【０００４】
ＲＦＩＤタグを利用した台間貸出機に使用されるＲＦＩＤタグは、現在、カード型ＲＦＩＤタグ（以降ＩＣカードという）が多く利用されており、特許文献にも多く紹介されている（例えば、特許文献１参照）。
【０００５】
以下に、特許文献１に記載のＩＣカード装置について説明する。図１２は下記特許文献１に記載のＩＣカード装置の斜視図である。
特許文献１に記載のＩＣカード装置１１０は、複数枚のＩＣカード１１４を収容可能な収納部１１１と、ＩＣカード１１４の出し入れ可能な挿入口１１２と、ＩＣカード１１４に所定の遊戯媒体利用データを書き込むと共にＩＣカード１１４に書き込まれた遊戯媒体利用データを読み出すリードライト部１１１Ａとを備え、前記遊戯媒体利用データが残存している場合に、前記リードライト部１１１Ａによって該ＩＣカ−ド１１４に該遊戯媒体利用データを書き込んで前記挿入口１１２から排出可能とすると共に、該遊戯媒体利用データが残存していない場合には、前記リードライト部１１１Ａによって該ＩＣカード１１４を初期化して前記収納部１１１に回収するようになっている。
【０００６】
しかしながら、特許文献１のようにＲＦＩＤタグをカード型とすると、ＩＣカード装置内には必ずＩＣカード搬送機構が必要となるため、機構が複雑となるだけでなく、台間貸出機に取り付けて使用する場合、台間貸出機自体が大型となってしまい、スペースがある程度決まっている台間貸出機には不向きであった。
【０００７】
上記のような問題点を解決するために、ＲＦＩＤタグをカード型ではなくコイン型のものを使用した台間貸出機が開発されており、特許文献にも多く紹介されている（例えば、特許文献２参照）。
【０００８】
以下に、特許文献２に記載の台間貸出機について説明する。図１３は、下記特許文献２に記載の台間貸出機の本体内部構造を示す側面図である。
特許文献２に記載の台間貸出機は、金銭投入口１５１Ａ（１５２Ａ）を有する金銭識別装置１５１（１５２）と、ＩＣコイン払出ボタン１５５と、プレイスタートボタン１５３と、ＩＣコイン収納部１５４と、このＩＣコイン収納部１５４からＩＣコインが供給されると共にＩＣコインに遊戯媒体データを書き込み、読み出し可能なリードライト装置を備えたＩＣコインリーダーライター１５６と、このＩＣコインリーダーライター１５６に設けられたＩＣコインの払出口１５８と、ＩＣコインリーダーライター１５６から排出されるＩＣコインを回収するＩＣコイン回収箱１５９と、を備え、前記金銭投入口１５１Ａ（１５２Ａ）に投入された金銭が金銭識別装置１５１（１５２）によって真と判定された場合、前記ＩＣコイン払出ボタン１５５が押されるのに応じて、前記リードライト装置によってＩＣコインに金銭の額に応じた遊戯媒体データが書き込まれた後に前記払出口１５８から払い出され、前記プレイスタートボタン１５３が押されるのに応じてＩＣコインに遊戯媒体データが残存している場合には所定個数の遊戯媒体が貸し出されると共に、遊戯媒体データが残存していない場合には、ＩＣコインは前記ＩＣコイン回収箱１５９に回収されるようになっている。
【０００９】
特許文献２に記載の台間貸出機によれば、ＲＦＩＤタグとしてコイン型ＲＦＩＤタグ（以降ＩＣコインという）を利用することにより、搬送路にベルト等からなる搬送機構を設けなくとも、搬送路に所定の傾斜を持たせるのみでコイン搬送を行うことができるようになるほか、ＩＣコイン自体がＩＣカードに比べて小さいため、台間貸出機内で占有するスペースを小さくすることができるようになる。
【００１０】
【特許文献１】特開２００１−１８４４７０号公報（図３、［請求項１］）
【特許文献２】特開２００１−３００１１７号公報（図２、［請求項１］）
【発明の開示】
【発明が解決しようとする課題】
【００１１】
しかしながら、上記特許文献２に記載の台間貸出機には、ＩＣコイン収納部１５４が設けられており、このＩＣコイン収納部１５４に収納したＩＣコインを払い出し、あるいは回収する構造を有しているのみで、ＩＣコインを投入することにより貸玉、あるいは貸メダルを行うことはできない。このようなＩＣコインを投入することができない台間貸出機では、遊戯客は他の遊戯台に移動したい場合であっても、一旦ＩＣコインを払い出し、ＩＣコイン精算機で精算した後に再び遊戯台に戻り、貨幣を投入しなくてはならず、非常に面倒であった。
【００１２】
また、上記特許文献２の台間貸出機には、紙幣及び硬貨の投入口が設けられているが、ＩＣコイン投入口をこの台間貸出機に新たに設けようとすると、搬送路等が増大し、よって台間貸出機本体が大型となってしまい、設置スペースの限られた台間貸出機には不向きであった。そして、台間貸出機本体の大きさが前記特許文献２に示すような紙幣及び硬貨の使用のみが行えるものとほぼ同じ大きさでＩＣコインの使用をも行えるような台間貸出機は今までなかった。
【００１３】
本発明者らは、上記問題点に鑑み、紙幣及び硬貨の投入口をなくすることなく、更にＩＣコイン投入口を設けても台間貸出機のスペースが増大しないような台間貸出機を種々検討した結果、硬貨の投入口とＩＣコインの投入口を同一のものとし、台間貸出機内でＩＣコインと、硬貨を判別できるコイン判別装置を設ければ上記問題点を全て解決することができることを見出し、本発明に至ったものである。
【００１４】
すなわち、本発明の第１の目的は、同一の投入口から投入されるＩＣコインと硬貨とを判別することができる省スペースのコイン判別装置を提供することである。
【００１５】
更に、本発明の第２の目的は、上記コイン判別装置を用い、設置スペースを増大させることなく、紙幣、硬貨、及びＩＣコインの使用が可能な台間貸出機を提供することである。
【課題を解決するための手段】
【００１６】
上記目的は以下に示す手段により達成できる。すなわち、本願の請求項１に記載のコイン判別装置は、硬貨、及び前記硬貨とは大きさの異なるＩＣコインを投入するコイン投入口と、
前記コイン投入口から所定角度下方に傾斜し、更に複数の経路に分岐したコイン自体の自重により搬送を行うコイン搬送路と、
前記コイン投入口から投入されるコインを判別する複数のセンサと、
前記コイン投入口から投入されるコインの経路を変更する複数のゲートと、
を有するコイン判別装置において、
前記複数のゲートは、前記搬送路の底面の延長線上に、該底面と平行に設けられた第１ゲートと、前記搬送路内に設けられ、前記第１ゲートに近接して設けられた第２ゲートとからなり、前記第１ゲートと第２ゲートとが、そのなす角が所定の鋭角となるように略くの字状に配置され、更に前記複数のセンサは搬送されたコインの大きさを判別する位置に設けられており、前記コイン搬送路内を搬送されるコインが前記第１、第２ゲートの位置で静止した際に、前記センサの出力に応じて第１、第２ゲートのいずれかを開閉し、所定の搬送路に搬送する判別部を有することを特徴とする。
【００１７】
また、本願の請求項２に記載の発明は、請求項１のコイン判別装置に係り、前記判別部は、判別を行ったコインが硬貨であると判断されると、第１ゲートを開状態とし、判別を行ったコインがＩＣコインであると判断されると、第２ゲートを開状態とすることを特徴とする。
【００１８】
また、本願の請求項３に記載の発明は、請求項１のコイン判別装置に係り、前記判別部で使用されるセンサは、前記判別部に搬送されたコインの大きさを認識するための第１センサと、前記判別部にコインが搬送されたか否かを認識する第２センサとからなることを特徴とする。
【００１９】
また、本願の請求項４に記載の発明は、請求項３のコイン判別装置に係り、前記第１センサは、前記コイン判別装置に使用が予定されるコインの大きさに応じて、適宜設置位置を変更することを特徴とする。
【００２０】
また、本願の請求項５に記載の発明は、請求項１のコイン判別装置に係り、前記第２ゲートの先には、更に搬送路が設けられており、前記搬送路の先には前記搬送路の底面の延長線上に、該底面と平行に設けられた第３ゲートと、前記搬送路内に設けられ、前記第３ゲートに近接して設けられた第４ゲートとが設けられており、前記第３ゲートと第４ゲートとが略くの字状に配置され、前記第３、第４ゲートにより前記第２ゲートを通過したＩＣコインを静止させ、ＩＣコインの静止した位置に設けられたＩＣコインリーダーライターにより、ＩＣコイン内のデータの読み書きを行うＩＣコイン認識部を有することを特徴とする。
【００２１】
また、本願の請求項６に記載の発明は、請求項５のコイン判別装置に係り、前記第３、第４ゲートの先には、それぞれ異なる搬送路が直結されており、前記ＩＣコイン認識部で静止しているＩＣコインのデータに応じて、該ＩＣコインの搬送経路を変更可能としたことを特徴とする。
【００２２】
また、本願の請求項７に記載の発明は、請求項１のコイン判別装置に係り、前記コイン投入口には、コイン投入の許可・不許可を制御する第５ゲートが付設されていることを特徴とする。
【００２３】
また、本願の請求項８に記載の発明は、請求項１〜７の何れかに記載のコイン判別装置に係り、前記ゲートは、小型のシャッターであることを特徴とする。
【００２４】
また、本願の請求項９に記載の発明は、請求項１〜４の何れかに記載のコイン判別装置に係り、前記センサは、小型の赤外線センサであることを特徴とする。
【００２５】
本願の請求項１０に記載の台間貸出機の発明は、紙幣を投入する紙幣投入口を有する紙幣識別機と、
投入された硬貨、或いはＩＣコイン等により、表示あるいは演算処理を行う制御ボードと、
請求項１〜９のいずれかに記載のコイン判別装置と、
投入された硬貨の識別を行うコインシューターと、
投入された硬貨、或いはＩＣコインを一時的に保管する金庫と、
前記コイン判別装置と、前記コインシューターと、前記金庫と、の間でコインの搬送を行う複数本のコイン搬送路と、
前記紙幣識別機、前記制御ボード等に電源を供給する電源部と
上述の各部材を一体に形成するための細長な枠体と、
からなることを特徴とする。
【００２６】
また、本願の請求項１１に記載の発明は、請求項１０の台間貸出機に係り、前記コイン搬送路は少なくとも
前記コイン判別装置と前記コインシューターとを繋ぐ第１搬送路と、
前記コイン判別装置及び前記コインシューターと本体正面に設けられたコイン返却口とを繋ぐ第２搬送路と、
前記コイン判別装置と、前記金庫とを繋ぐ第３搬送路と、
からなることを特徴とする。
【００２７】
また、本願の請求項１２に記載の発明は、請求項１０の台間貸出機に係り、前記コインシューターは、前記コイン判別装置の第１ゲートの下部に位置し、前記第１搬送路により前記コイン判別装置と連結していることを特徴とする。
【発明の効果】
【００２８】
請求項１に記載の発明によれば、第１、第２ゲートが所定の鋭角をなすように近接して設けられるため、搬送路内を通過してきたコインが前記第１、第２ゲートが設けられた判別部で静止した際に、そのコインの大きさによって異なる位置に静止させることができるようになり、センサでのコイン判別がより正確に行えるようになる。よって、コイン判別のために大掛かりな判別装置を用いる必要がなくなり、簡単な構造でコインの判別ができるため、省スペースな判別装置を提供することができる。また、コイン判別装置内にＩＣコインと硬貨の判別を行う判別部を設けたことにより、１つの投入口にＩＣコイン及び硬貨を投入することができるコイン判別装置を提供することができる。
【００２９】
請求項２に記載の発明によれば、判別部に搬送されたコインがＩＣコインの場合と硬貨の場合とで異なるゲートを開くことにより、ＩＣコインと硬貨とを簡単な構造で異なる搬送路に搬送することができるようになる。
【００３０】
請求項３に記載の発明によれば、コインの大きさを識別するための第１センサが、例えばコインの大きさによって搬送路を塞ぐ位置に設けられるようになせば、複数のセンサを用いることなくコインの判別を行うことができるようになり、装置の省スペース化を達成することができるようになる。
【００３１】
請求項４に記載の発明によれば、使用されるＩＣコイン及び硬貨の大きさに応じて適宜設置位置を変更して製造されるので、様々なＩＣコイン及び硬貨の大きさに対応できるようになる。
【００３２】
請求項５に記載の発明によれば、判別部によりＩＣコインと判別され、第２ゲートを通過してきたコインが速やかにＩＣコインリーダーライターに搬送されるようになり、省スペースでコイン判別と、ＩＣコインの読み書きを行うことができるコイン判別装置を提供することができるようになる。
【００３３】
請求項６に記載の発明によれば、例えば第３、第４ゲートに直結する搬送路が、金庫、及び返却口に連結されていれば、ＩＣコインの返却、或いは回収の指示があった際に、ＩＣコイン内に記憶された残り金額に応じて開くゲートを変更させるだけで簡単にＩＣコインの搬送経路を変更することができるようになる。
【００３４】
請求項７に記載の発明によれば、コイン判別装置内への過度のコイン投入を防止することができるようになり、より正確なコイン判別を行えるようになる。
【００３５】
請求項８の記載によれば、ゲートを小型のシャッターとすることができるため、ゲートを設置するのに要するスペースを少なくすることができ、コイン判別装置自体を小型化することができるようになる。
【００３６】
請求項９の記載によれば、センサを小型の赤外線センサとすることができるため、センサに要するスペースを少なくでき、更に高価なセンサを使用する必要がなく安価なコイン判別装置を提供できるようになる。
【００３７】
請求項１０に記載の台間貸出機の発明によれば、請求項１〜９に記載のコイン判別装置を用いることにより、既存の台間貸出機とほぼ同じ大きさで、紙幣、硬貨、及びＩＣコインの全てを使用することが可能な台間貸出機を提供することができる。
【００３８】
請求項１１に記載の発明によれば、少なくともコイン判別装置とコインシューターとを繋ぐ第１搬送路と、コイン判別装置及びコインシューターと本体正面に設けられたコイン返却口とを繋ぐ第２搬送路と、コイン判別装置と、金庫とを繋ぐ第３搬送路とを有していれば、コイン判別装置に投入されるコインがどのようなものであったとしても対応することができるようになる。
【００３９】
請求項１２に記載の発明によれば、コイン判別装置の第１ゲートの下部に硬貨判別装置を設けることにより、コイン判別装置とコインシューターとの間に長い搬送路を設ける必要がなくなるため、省スペースな台間貸出機を提供することができるようになる。
【発明を実施するための最良の形態】
【００４０】
以下、図面を参照して本発明の最良の実施形態を説明する。但し、以下に示す実施形態は、本発明の技術思想を具体化するためのコイン判別装置及びこれを用いた台間貸出機を例示するものであって、本発明をこれらに特定することを意図するものではなく、特許請求の範囲に含まれるその他の実施形態のものも等しく適応し得るものである。
【実施例１】
【００４１】
図１は、本発明の台間貸出機を設置する際の設置状態を示す斜視図であり、図２は、本発明の一実施例の台間貸出機を示す図であり、図２（ａ）は正面図であり、図２（ｂ）は台間貸出機内の構造を分かりやすく示した側面図である。ちなみに、以下に示すＩＣコインは、内部に非接触で情報のやり取りの可能な記憶媒体（ＩＣチップ）を有する周知のＲＦＩＤタグにより構成され、その直径がその他のコイン（例えば５００円硬貨（直径２６．５ｍｍ））よりも大きなものを使用し、その直径としては例えば３０ｍｍのものを使用する。
【００４２】
パチンコ台又はスロットマシーン等の遊戯台３に介設される台間貸出機２は、図１に示すように、一端に貨幣回収装置６を設け、両側面に背面が対向するように遊戯台３を設け、この対向する背面の隙間に、所定の高さで設置された紙幣回収路４、及び硬貨回収路５を有する矩形状等の遊戯島１において、遊戯台３の左側面部に介設されている。このような台間貸出機２は、その設置状態から寸法がある程度設定されており、特別な理由がある場合を除いて、おおよそ幅４０ｍｍ、奥行き２２０ｍｍ、高さ８００ｍｍに設定される。
【００４３】
このような遊戯島１においては、前記台間貸出機２に投入される紙幣、及び硬貨が、遊戯台３の背面部に設けられた紙幣回収路４、及び硬貨回収路５に搬入され、遊戯島１の一端に設けられた紙幣回収装置６内の紙幣回収部７、及び硬貨回収部８に回収されるようになっている。
【００４４】
紙幣回収路４は、遊戯島１の両端部まで伸びるベルト等からなる周知の搬送機構により形成され、この回収経路には、前記台間貸出機の設置位置後方に設けられた搬入口４１が遊戯島１内の台間貸出機２の設置台数分設けられ、台間貸出機２に投入された紙幣を紙幣回収路４内に搬入するようになっている。同様に、硬貨回収路５は、遊戯島１の両端部まで伸びるベルト等からなる周知の搬送機構により形成され、回収経路に台間貸出機２の設置台数分設けられた搬入口５１と台間貸出機２背面に設けられた硬貨回収路５とを蛇腹等を用いて接続することにより硬貨回収路５内に搬入し、硬貨を回収するようになっている。
【００４５】
本発明の台間貸出機２は、図２に示すように、幅狭で所定の奥行き、及び高さを有する直方体形状であり、紙幣識別機１１と、制御ボード１２と、コイン判別装置１３と、コインシューター１４と、金庫１５と、電源部１６と、枠体１７とから構成され、パチンコ台、又はスロットマシーン等の隙間に介設されるものである。また、台間貸出機２の正面部分には美観を向上させるための飾り板１８が設けられ、この飾り板１８は、文字等による説明書きやダイオード等を利用した簡易表示が行われるようになっている。
【００４６】
紙幣識別機１１は、台間貸出機２の最上部に設置され、本体正面に紙幣投入口２０を有し、紙幣を搬送するためのベルト等からなる搬送部と、紙幣の真偽を判別する紙幣判別部と、投入された紙幣を台間貸出機の後方に位置する紙幣搬送装置に接続するジョイント部とを有しており、紙幣判別部により真であると判断すると、台間貸出機２の背面の紙幣識別機と同様の高さに設けられたベルト等からなる紙幣回収路に紙幣を搬送し、回収するようになっている。これらの部材は周知のものを使用するためその詳細な説明は省略する。
【００４７】
制御ボード１２は、紙幣識別機１１、あるいはコイン判別装置１３に投入された貨幣の金額、あるいはＩＣコインの残り金額データを基に、パチンコ台への貸玉等を行ったり、台間貸出機正面に設けられた各種表示部に状態表示を行ったり、コイン判別装置１３に設けられた複数のシャッター４０を、同じくコイン判別装置１３に設けられた複数のセンサの出力に従った開閉制御等の台間貸出機２にかかる各種制御を行うための基板であり、紙幣識別機１１の直下に設置される。
【００４８】
コインシューター１４は、コイン判別装置１３の第１シャッター４０１の下部に設けられており、第１シャッター４０１を通過し第１搬送路３５１を経由して搬送される硬貨をコインの種類、例えば５００円玉、１００円玉、その他の硬貨といったように識別し、投入された金額のデータを制御ボード１２に送信するようになっている。硬貨の判別方法に関しては周知の方法を用い、詳細な説明は省略する。また、投入された硬貨が認識できない硬貨であったり、あるいは遊戯台での使用を行うことができない硬貨であると判断すると、第２搬送路３５２を経由してコイン返却口２４に返却するようになっており、反対に認識可能な金額の硬貨であると判断すると、第２搬送路３５２とは異なる第４搬送路（図示省略）を経由して、台間貸出機２裏面に導出され、第４搬送路に接続された硬貨回収路５を経由して、硬貨回収部８にて回収されるようになっている。
【００４９】
金庫１５は、電源部１６の上部に位置しており、コイン判別装置１３内のＩＣコインリーダーライター３６で読み書きが行われた結果、残り金額データがゼロとなり、不要となったＩＣコインを回収するものであり、コイン判別装置１３の第４シャッターを通過したＩＣコインが搬送される第３搬送路３５３に接続されている。
【００５０】
電源部１６は、上記紙幣識別機１１、制御ボード１２、コインシューター１４、及びコイン判別装置１３に電源を供給する為のものである。枠体１７は、台間貸出機２を構成する各種部材を一体に接続するためのものであり、コ字状で、各部材を嵌め込むことで台間貸出機２が組み立てられるようになっており、各部材の嵌め込みにはボルト等を用いる必要がなく、取り外し等も簡単に行えるようになっており、メンテナンスが容易になっている。
【００５１】
図３は、本発明のコイン判別装置を示す図であり、図３（ａ）は正面図であり、図３（ｂ）は搬送路内の構造を分かりやすく示した概略説明図である。
コイン判別装置１３は、図３に示すように、板状で略Ｌ字状に形成された取付基板３１、３４（以降、それぞれを第１基板、第２基板とする。）と、この第１、第２基板３１、３４の間に挟まれた第１、第２スペーサ３２、３３とを有し、この第１、第２基板３１、３４及び第１、第２スペーサ３２、３３とが重ね合わされて形成されている。ちなみにこれらを台間貸出機２に使用する場合にもボルト等の結合部材は用いず、重ね合わせた状態で枠体１７に嵌め込まれるのみで取付けられるようになっており、例えば取付基板３１、３２に取り付けられたセンサ等が故障した場合であっても容易に取り外すことができ、取替え等が簡単に行えるようになっている。
【００５２】
第１、第２基板３１、３４には、複数個のシャッター、複数個のセンサ、アンテナ、及びＩＣコインリーダーライター３６等が設けられており、コイン投入口２３から投入される硬貨或いはＩＣコインの判別や、ＩＣコインの読み書き等を行うための各種機器が取付けられている。また、第１、第２スペーサ３２、３３は、板状でコイン投入口２３及びそれに連なるコイン搬送路３５を形成するように一部が凹状に加工されたものからなり、塩化ビニル、アクリル等で成形されたものを使用する。また、スペーサ３２、３３により成形される搬送路３５は、その大きさを投入される最も大きなコインであるＩＣコインより若干大きく成形されるようにし、ＩＣコインの直径が例えば３０ｍｍである場合は、搬送路の高さを３１，５ｍｍ程度とすることが好ましい。
【００５３】
第１、第２基板３１、３４及び第１、第２スペーサ３２、３３により形成されるコイン判別装置１３に設けられるコイン搬送路３５には、コイン投入口２３と、コインの判別を行う判別部Ｉと、ＩＣコイン認識部IIとが設けられ、この判別部Ｉと、ＩＣコイン認識部IIとにおいて、コイン搬送路３５が分岐しており、コインの種類等に応じて、搬送経路を変更させるようになっている。
【００５４】
コイン搬送路３５内には、複数のシャッター４０１〜４０５と、複数のセンサ５０１〜５０５とを有しており、このシャッター、及びセンサは同様の構成のものを使用する。また、コイン投入口２３から投入されたコインが重力により自然に判別部Ｉまで搬送されるようにコイン搬送路３５は予め所定角度背面側に傾斜させて設けておく。この角度は例えば１５度程度が好ましい。ちなみにここではコイン経路の変更を行うゲートとしてシャッターを使用しているが、これに限定されることなく、その他のゲートも適宜使用可能である。
【００５５】
判別部Ｉにはコインシューター１４へ連通する第１搬送路３５１への搬送を制御する第１シャッター４０１と、ＩＣコイン認識部IIに連通する搬送路３５への搬送を制御する第２シャッター４０２とを有しており、更に判別部Ｉで一時的に止められたコインが硬貨であるか、或いはＩＣコインであるかを判断するための第１センサ５０１と、判別部Ｉにコインがあるか否かを判断する第２センサ５０２とを有している。第１シャッター４０１と第２シャッター４０２は、それぞれの一端が近接するように位置し、この近接した端部のなす角θが必ず鋭角となるように設置する。これは、判別部Ｉに搬送されてきたコインの大きさによって停止位置が異なるようにするために行い、好ましくは６８度程度とする。
【００５６】
上述のようにコインの大きさによってコインの判別部Ｉでの停止位置が異なるように第１、第２シャッター４０１、４０２を設置した後、第１センサ５０１、及び第２センサ５０２を設置する。第１センサ５０１はコインが判別部Ｉにて停止した際にＩＣコインのみが搬送路内を塞ぐような位置に設置し、第２センサ５０２はコインが判別部にて停止した際にすべてのコインが搬送路内を塞ぐような位置に設置する。このようにすると、第２センサ５０２は判別部Ｉにコインが搬入したか否かを正確に検知できるようになり、第１センサ５０１は、判別部Ｉで停止したコインがＩＣコインであるか、その他のコイン（例えば５００円硬貨等）であるのかを確実に検知できるようになる。
【００５７】
ＩＣコイン認識部IIは、コイン返却口２４に連通する第２搬送路３５２への搬送を制御する第３シャッター４０３と、金庫１５へ連通する第３搬送路３５３への搬送を制御する第４シャッター４０４とを有しており、更にＩＣコイン認識部IIにＩＣコインがあるか否かを検知する第３センサ５０３と、ユーザの操作等によりＩＣコインの返却要求があった場合に搬送される第２搬送路３５２の途中に設けられた第４センサ５０４と、ユーザの操作等によりＩＣコインの破棄要求があった場合に搬送される第３搬送路３５３の途中に設けられた第５センサ５０５とを有している。第３シャッター４０３と第４シャッター４０４は、それぞれの一端が近接するように設置されており、この第３、第４シャッター４０３、４０４にてＩＣコインを保持することができるように、略くの字状に設置する。
【００５８】
第３、第４シャッター４０３、４０４にて保持されたＩＣコインは、ＩＣコイン認識部IIに設けられたＩＣコインリーダーライター３６において、所定の金額データの読み込み、或いは書き込み等の各処理を行う。ＩＣコインリーダーライター３６は、ＩＣコインのデータの読み書きを直接行うアンテナ部３６１と、アンテナ部３６１で認識したデータ或いはアンテナ部３６１に書き込むデータの受け渡しを行うリードライトボード３６２とからなり、リードライトボード３６２は制御ボード１２に接続され、制御ボード１２での紙幣或いは硬貨の投入等の認識に伴う指示によりＩＣコインの読み書きを行うようになっている。
【００５９】
ここで、遊戯台３本体、或いは台間貸出機２に設けられた返却ボタン（図示省略）がユーザにより押されると、ＩＣコインリーダーライター３６において、ＩＣコイン認識部IIに保持されたＩＣコインに残り金額データがあるか否かをＩＣコインリーダーライター３６が認識し、ＩＣコインに残り金額データがある場合は第３シャッター４０３を開状態とし、ＩＣコイン認識部IIに保持されたＩＣコインは第２搬送路３５２を通過して返却口２４に送られ、ＩＣコインに残り金額データがない場合（つまり金額データが０の場合）は第４シャッター４０４を開状態とし、ＩＣコインを第３搬送路３５３を介して金庫１５に送るようになっている。
【００６０】
次に、このコイン判別装置の判別機構を構成する各部材について説明する。図４は、コイン判別装置に使用されるシャッターを示す図であり、図４（ａ）は平面図、図４（ｂ）は正面図、図４（ｃ）は右側面図であり、図５は、図４のシャッターの動作説明図であり、図６は、コイン判別装置に使用されるセンサを示す図であり、図３のＡ−Ａ断面図である。ただし、以下に説明するシャッター及びセンサは、同様の構造のものを複数使用するため、図３ではシャッター４０１〜４０５、センサ５０１〜５０５として図示したが、ここではそれぞれシャッター４０、センサ５０として説明する。
【００６１】
本発明のコイン判別装置１３に使用されるシャッター４０は、電気を往復動に変換するソレノイド４１からなり、ソレノイド４１は、内部に円柱状のプランジャと、このプランジャの側面を囲むように螺旋状に巻回されたコイルと、前記プランジャに一端が固定され、他端がソレノイドの外部に突出した作動軸４２と、プランジャの往復動に連動する作動軸４２を初期位置に支持する方向に付勢力を生じるバネ体４３と、前記コイルに電流を供給する配線４４とを有している。
【００６２】
更に、前記ソレノイド４１は、側面にソレノイド４１を取付基板３１（３４）に固定するためのねじ切り等がなされた固定部４５１、４５２と、前記作動軸の外部に位置する一端に設けた固定桿４６により固定されるシャッター部材４７が設けられており、前記シャッター部材４７は板状体からなり、対向する側端部には固定桿４６に回動自在に固定するための固定部４７１、４７２が設けられている。このシャッター部材４７は、コイン判別装置１３に設置されたときに一端（先端部４７３）がコイン搬送路３５内に入り込むように比較的長く形成され、ソレノイド４１による往復動に連動して、先端部４７３がコイン搬送路３５に出入りするようにし、以ってコイン投入時のコインの通過に対する許可・不許可を制御可能になっている。
【００６３】
以下に上記シャッター４０の動作を図５を参照して説明する。シャッター４０は図５（ａ）に示すように、第１基板３１（第２基板３４）上に設置されており、シャッター部材４７が位置する部分の第１基板３１（第２基板３４）、及び第１スペーサ３２（第２スペーサ３３）にはコイン搬送路３５まで連通する貫通孔４８が設けられ、この貫通孔４８にシャッター部材４７の先端部４７３が挿入されることにより、コイン搬送路３５を塞いでいる。
【００６４】
ここでシャッター部材４７を開くときは配線４４に電流を流す、つまり図５（ｂ）に示すように、配線４４に電流が流れると配線４４に接続されたソレノイド４１内のコイルに電流が流れ、それによって生じる磁界によってプランジャが配線側に移動し、これに伴ってプランジャに固定された作動軸４２がバネ体４３の付勢力に反する方向に移動し、それによって作動軸に固定された固定桿４６及びシャッター部材４７も移動する。固定桿４６とシャッター部材４７は回動自在に固定されているため、シャッター部材４７が配線４４の方向に移動すると、固定桿４６を中心として回動し、以ってコイン搬送路３５からシャッター部材４７の先端部４７３も引き抜かれるため、コイン搬送路３５が開放され、コインの通過を許可するようになる。また、再び搬送路を塞ぎたい場合は、配線４４への電流の供給を停止すれば、プランジャの移動が停止するため、バネ体４３の付勢力により図５（ａ）の位置に戻るため搬送路を再び塞ぐことができるようになる。以上本発明に使用するシャッターを説明したが、本発明のコイン判別装置に用いられるシャッターは上記のものに限らず種々の形態のものを使用できることは当業者にとり自明であろう。
【００６５】
本発明のコイン判別装置１３に使用されるセンサ５０は、例えば赤外線センサであり、第１基板３１、及び第１スペーサ３２側に設けられた発光素子からなる発光側センサ５０Ａと、第２基板３４、及び第２スペーサ３３側に設けられた受光素子からなる受光側センサ５０Ｂとで構成されている。コイン搬送路３５を介して対向する位置に設けられたセンサ５０Ａ、５０Ｂは、発光側センサ５０Ａから照射される赤外線光を受光側センサ５０Ｂで受光することによりコイン搬送路３５内を通過する物体を検知することができるようになっている。このセンサ５０の設置に関しては、第１基板３１（第２基板３４）と第１スペーサ３２（第２スペーサ３３）との積層体に基板側から凹状溝５１Ａ、５１Ｂを形成し、そこへセンサ５０Ａ、５０Ｂを設置する。ただし、ここではセンサを赤外線センサとしたが、コインの搬入を検知できるものであればどのようなセンサを用いても構わない。
【００６６】
次に本発明の台間貸出機２に使用される複数の搬送路３５について説明する。
図７は、本発明の台間貸出機のコイン判別装置とコインシューターとに連結する搬送路を説明するための概略正面図である。
【００６７】
図７に示すように、コイン判別装置１３の第２、第３搬送路３５２、３５３の延長線上には、これらの搬送路をガイドするための第１搬送ガイド６１、及び第２搬送ガイド６２が設けられている。第１搬送ガイド６１は、略Ｌ字状の金属材からなり、第２、第３搬送路３５２、３５３を搬送されるＩＣコインを、それぞれ返却口２４と金庫１５とに搬送するためのガイドであり、第２搬送路３５２に搬送されたＩＣコインを返却口２４に導くための案内路６１２と、第２、第３搬送路３５２、３５３の境界線上に位置する突起６１１とを有する。また、第２搬送ガイド６２は、第３搬送路３５３と、第１搬送ガイド６１とを経由して搬送されたＩＣコインを金庫１５まで案内するためのガイドであり、板状の金属材により成形されている。
【００６８】
ところで、第２、第３搬送路３５２、３５３には搬送路を仕切るための仕切りを設けていない。しかしながら、本発明の台間貸出機２は必ず垂直に起立した状態で使用され、更に第２、第３搬送路３５２、３５３も台間貸出機２の垂直方向に平行に設けられているため、第１搬送ガイド６１に突起６１１を設けるだけで搬送路が途中で変更してしまうことはなく、以って仕切りを設ける必要のない分、台間貸出機２本体をより小型にすることができるようになる。
【００６９】
以下に本発明のコイン判別装置の処理工程を図面を参照して詳細に説明する。
図８、９、１０、１１は、本発明のコイン判別装置の処理工程を示すフローチャートである。
【００７０】
先ず、図８に示すようにコイン判別装置１３に電源が投入されると、ユーザのアクションに対する待機状態となる。詳しくは、遊戯台３或いはコイン判別装置１３に設けられたＩＣコイン返却ボタン（図示省略）が押されたか否か（ステップＳ０１）、及びコイン投入口２３にコインが投入されたか否か（ステップＳ０２）を検知し、返却ボタンが押された場合はステップＳ３０（図１０参照）に移行し、返却ボタンが押されずに、コインが投入された場合は、ステップＳ０３に移行する。ただし、ＩＣコインがコイン判別装置１３内にない状態で返却ボタンが押されてもステップＳ３０には移行しない。また、コインが投入されたか否かの判断は、第１センサ５０１がｏｆｆ（つまりセンサが取付けられた位置の搬送路がコインによって塞がれている状態）となったか否かによって判断する。
【００７１】
ステップＳ０２で第１センサ５０１のｏｆｆが検知されると、搬送路３５内をコインが搬送中であるため、複数枚のコインが投入されないようにステップＳ０３において第５シャッター４０５を閉じる。そして、ステップＳ０４において第２センサ５０２のｏｆｆが検知されると、先ずステップＳ０５において第３センサ５０３がｏｆｆであるか否かを検知する。第３センサ５０３がｏｆｆである場合は、ステップＳ０６に移行し、第３センサ５０３がｏｎである場合は、ステップＳ２０（図９参照）に移行する。
【００７２】
ステップＳ０５で、第３センサ５０３がｏｆｆと識別されると、ステップS０６において第１センサ５０１がｏｆｆであるか否かを再び検知する。第１センサ５０１がｏｆｆの場合、判別部ＩのコインはＩＣコインであるためステップＳ３０に移行し、第１センサ５０１がｏｎであると判断されると、判別部ＩのコインはＩＣコイン以外のコインであるためステップＳ０７に移行する。
【００７３】
ステップＳ０６でＩＣコイン以外のコインであると判断されると、ステップＳ０７において第１シャッター４０１を開く。第１シャッター４０１が開かれると、コインは自身の重さにより第１搬送路３５１に進み、第１搬送路３５１により連結されたコインシューター１４に導入される。コインシューター１４に導入されたコインは、ステップＳ０８においてコインシューター１４によりコインの認識がなされる。また、この認識が行われると、ステップＳ０９において第１シャッター４０１が閉じられる。そして、コインシューター１４によりコインが認識されたとき、ステップＳ１０において投入されたコインが不正コインであるか否かを判別する。不正コインとは例えば本発明の台間貸出機には使用できない硬貨などを言い、ここで不正コインであると判断されると、ステップＳ１４に移行する。
【００７４】
ステップＳ１０で不正コインではないと判断されると、ステップＳ１１において、コインの種類を認識する。この場合は特にコインの金額を認識し、認識した金額を、ステップＳ１２においてＩＣコイン認識部IIにあるＩＣコインに金額データとして書き込む。以上の処理が終了するとコインシューター１４に投入されたコインは第４搬送路に送られ、台間貸出機の背面にある搬入口５１から硬貨回収路５に送られて回収されるとともに、ステップＳ１３において第５シャッター４０５を開き、ステップＳ０１に戻る。
【００７５】
ステップＳ１０で不正コインと判断されると、ステップＳ１４において、コインシューター１４から第２搬送路３５２を介して返却口２４に返却される。そして、コインの返却が終了すると、ステップＳ１５において第５シャッター４０５を開き、ステップＳ０１に戻る。
【００７６】
図９に示すように、ステップＳ０５で第３センサ５０３がｏｎであると判断されると、ステップＳ２０において、第１センサ５０１がｏｆｆであるか否かを判断し、ｏｆｆであると判断されると、ステップＳ４０（図１１参照）に移行し、ｏｎであると判断されると、ＩＣコインがない状態では硬貨の投入が行えないため、ステップＳ２１に移行し、第２、第３シャッター４０２、４０３を開く。
【００７７】
ステップＳ２１で第２、第３シャッター４０２、４０３が開かれると、ステップＳ２２、Ｓ２３で、第３シャッター４０３に連結した第２搬送路３５２の第３シャッター４０３の近傍に設けられた第４センサ５０４の状態を監視し、第４センサ５０４がｏｎになった後（ステップＳ２２）、再びｏｆｆとなったことを検知すると（ステップＳ２３）、ステップＳ２４において第２、第３シャッター４０２、４０３を閉じ、これとほぼ同時にステップＳ２５において第５シャッター４０５を開き、ステップＳ０１に戻る。
【００７８】
また、図１０に示すように、ステップＳ０１においてＩＣコインがＩＣコイン認識部IIにある状態で返却ボタンを押された場合、あるいはステップS０６で第１センサ５０１がｏｆｆであると判断された場合には、ステップＳ３０においてＩＣコイン認識部IIにあるＩＣコインの金額データに残りがあるか否かをＩＣコインリーダーライター３６で判断する。ここでＩＣコイン内にまだ金額データが残っている場合は、ステップＳ３１に移行し、ＩＣコイン内にもう金額データが残っていない場合、つまり、ＩＣコイン内の金額データが０円の場合は、ステップＳ３６に移行する。
【００７９】
ステップＳ３０において、ＩＣコイン内にまだ金額データ残っていると判断されると、ステップＳ３１において、第３シャッター４０３を開く。そしてステップＳ３２、Ｓ３３において第４センサ５０４の状態を監視し、第４センサ５０４がｏｎになった後（ステップＳ３２）、再びｏｆｆとなったことを検知すると（ステップＳ３３）、ステップＳ３４において第３シャッター４０３を閉じ、ステップＳ３５に移行する。
【００８０】
また、ステップＳ３０において、ＩＣコイン内にもう金額データ残っていないと判断されると、ステップＳ３６において、第４シャッター４０４を開く。そしてステップＳ３７、Ｓ３８において第５センサ５０５の状態を監視し、第５センサ５０５がｏｎになった後（ステップＳ３７）、再びｏｆｆとなったことを検知すると（ステップＳ３８）、ステップＳ３９において第４シャッター４０４を閉じ、ステップＳ３５に移行する。
【００８１】
ステップＳ３５では、判別部Ｉにコインがあるいか否かを認識するため、第２センサ５０２がｏｆｆであるか否かを検出する。第２センサ５０２がｏｎである場合はステップＳ０１に戻り、第２センサ５０２がｏｆｆである場合は、ステップＳ４０に移行する。
【００８２】
図１１に示すように、ステップＳ２０において第１センサ５０１がＯＦＦと判断された場合、あるいはステップＳ３５において、第２センサ５０２がｏｆｆと判断された場合には、ステップＳ４０において、第２シャッター４０２を開く。第２シャッター４０２が開かれると、コインはＩＣコイン認識部IIに搬送され、ステップS４１において第３センサ５０３がｏｆｆとなると、ステップＳ４２で第２シャッター４０２を閉じる。そして、ＩＣコイン認識部IIに搬送されたコインを、ＩＣコインリーダーライター３６により認識し、ステップＳ４３で不正コインであるか否かが判断される。ちなみにここでいう不正コインとは、ＩＣコイン以外のコインであったり、あるいはＩＣコイン内の店舗情報などにより、この台間貸出機には使用できないＩＣコインである。
【００８３】
ステップＳ４３で不正コインではないと判断されるとステップＳ４４に移行し、ステップＳ４４においてＩＣコイン内の金額データを認識し、ＩＣコインをＩＣコイン認識部IIに保持した状態でステップＳ４５に移行し、第５シャッター４０５を開いてステップＳ０１に戻る。
【００８４】
ステップＳ４３で不正コインであると判断されると、ステップＳ４６において第３シャッター４０３を開き、ステップＳ４７、Ｓ４８において第４センサ５０４の状態を監視し、第４センサ５０４がｏｎになった後（ステップＳ４７）、再びｏｆｆとなったことを検知すると（ステップＳ４８）、ステップＳ４９において第３シャッター４０３を閉じ、ステップＳ５０で第５シャッター４０５を開いてステップＳ０１に戻る。
【００８５】
以上のように、本発明のコイン判別装置及びそれを用いた台間貸出機によれば、コイン判別装置の小型化を達成することができ、それに伴って台間貸出機本体の大きさを既存の台間貸出機より大きくすることなく、紙幣、硬貨、及びＩＣコインの使用を行うことが可能となる。
【００８６】
また、本発明のコイン判別装置のコイン投入口は、上述のように台間貸出機に使用した場合はフロント部分に設けたが、その他の用途、例えば卓上型のゲーム機等に使用される際にはコイン投入口を上方に開口が位置するように設けてもよく、使用用途に応じてコイン投入口の角度は適宜変更が行えるものである。
【図面の簡単な説明】
【００８７】
【図１】図１は、本発明の台間貸出機を設置する際の設置状態を示す斜視図、
【図２】図２は、本発明の一実施例の台間貸出機を示す図であり、図２（ａ）は正面図であり、図２（ｂ）は台間貸出機内の構造を分かりやすく示した側面図、
【図３】図３は、本発明のコイン判別装置を示す図であり、図３（ａ）は正面図であり、図３（ｂ）は搬送路内の構造を分かりやすく示した概略説明図、
【図４】図４は、コイン判別装置に使用されるシャッターを示す図であり、図４（ａ）は平面図、図４（ｂ）は正面図、図４（ｃ）は右側面図、
【図５】図５は、図４のシャッターの動作説明図、
【図６】図６は、コイン判別装置に使用されるセンサを示す図であり、図３のＡ−Ａ断面図、
【図７】図７は、本発明の台間貸出機のコイン判別装置とコインシューターとに連結する搬送路を説明するための概略正面図、
【図８】図８は、本発明のコイン判別装置の処理工程を示すフローチャート、
【図９】図９は、本発明のコイン判別装置の処理工程を示すフローチャート、
【図１０】図１０は、本発明のコイン判別装置の処理工程を示すフローチャート、
【図１１】図１１は、本発明のコイン判別装置の処理工程を示すフローチャート、
【図１２】図１２は、特許文献１に記載のＩＣカード装置の斜視図、
【図１３】図１３は、特許文献２に記載の台間貸出機の本体内部構造を示す側面図。
【符号の説明】
【００８８】
１              遊戯島
２              台間貸出機
３              遊戯台
４              紙幣回収路
５              硬貨回収路
６              貨幣回収装置
１１            紙幣識別機
１２            制御ボード
１３            コイン判別装置
１４            コインシューター
１５            金庫
１６            電源部
１７            枠体
１８            飾り板
２０            紙幣投入口
２３            コイン投入口
２４            返却口
３１、３４      取付基板
３２、３３      スペーサ
３５            コイン搬送路
３５１〜３５３    第１〜第３搬送路
３６            ＩＣコインリーダーライター
４０１〜４０５    シャッター
５０１〜５０５    センサ
Ｉ              判別部
II              ＩＣコイン認識部
【図１】
2005293097.tif 000003
【図２】
2005293097.tif 000004
【図３】
2005293097.tif 000005
【図４】
2005293097.tif 000006
【図５】
2005293097.tif 000007
【図６】
2005293097.tif 000008
【図７】
2005293097.tif 000009
【図８】
2005293097.tif 000010
【図９】
2005293097.tif 000011
【図１０】
2005293097.tif 000012
【図１１】
2005293097.tif 000013
【図１２】
2005293097.tif 000014
【図１３】
2005293097.tif 000015